【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
印刷物のレイアウトデータを取得する取得手段と、
所定の出力装置において前記レイアウトデータに基づく出力がなされた場合の印刷物の印刷ズレ状態を想定した印刷ズレ画像データ、を生成する印刷ズレ画像データ生成手段と、
前記レイアウトデータおよび前記印刷ズレ画像データに基づいて前記出力装置において出力がなされた場合の印刷物の仮想画像を生成する仮想画像処理手段と、
前記レイアウトデータに基づく印刷物の仮想画像を表す基準データと、前記印刷ズレ画像データに基づく印刷物の仮想画像を表す対象データとを相互に比較する比較手段と、
を備えることを特徴とする検版装置。
【請求項２】
請求項１に記載の検版装置であって、
前記基準データと、前記対象データとの比較の結果が所定の許容限度を超えている場合に警告情報を生成する警告情報生成手段、
をさらに備えることを特徴とする検版装置。
【請求項３】
請求項１または請求項２に記載の検版装置であって、
前記比較手段における比較結果に基づいて前記レイアウトデータを修正する画像データ修正手段、
をさらに備えることを特徴とする検版装置。
【請求項４】
印刷システムであって、
（ａ）印刷物のレイアウトデータを生成する生成装置と、
（ｂ）印刷物の出力を行う出力装置と、
（ｃ）検版装置であって、
（ｃ−１）前記レイアウトデータを取得する取得手段と、
（ｃ−２）前記出力装置において前記レイアウトデータに基づく出力がなされた場合の印刷物の印刷ズレ状態を想定した印刷ズレ画像データ、を生成する印刷ズレ画像データ生成手段と、
（ｃ−３）前記レイアウトデータおよび前記印刷ズレ画像データに基づいて前記出力装置において出力がなされた場合の印刷物の仮想画像を生成する仮想画像処理手段と、
（ｃ−４）前記レイアウトデータに基づく印刷物の仮想画像を表す基準データと、前記印刷ズレ画像データに基づく印刷物の仮想画像を表す対象データとを相互に比較する比較手段と、
を備える検版装置と、
を備えることを特徴とする印刷システム。
【請求項５】
請求項４に記載の印刷システムであって、
前記検版装置が、
（ｃ−５）前記基準データと、前記対象データとの比較の結果が所定の許容限度を超えている場合に警告情報を生成する警告情報生成手段、
をさらに備えることを特徴とする印刷システム。
【請求項６】
請求項５に記載の印刷システムであって、
前記検版装置が、
（ｃ−６）前記比較手段における比較結果に基づいて前記レイアウトデータを修正する画像データ修正手段、
をさらに備えることを特徴とする印刷システム。
【請求項７】
印刷物のレイアウトデータの検版を行う方法であって、
印刷物のレイアウトデータを取得する取得工程と、
所定の出力装置において前記レイアウトデータに基づく出力がなされた場合の印刷物の印刷ズレ状態を想定した印刷ズレ画像データ、を生成する印刷ズレ画像データ生成工程と、
前記レイアウトデータおよび前記印刷ズレ画像データに基づいて前記出力装置において出力がなされた場合の印刷物の仮想画像を生成する仮想画像処理工程と、
前記レイアウトデータに基づく印刷物の仮想画像を表す基準データと、前記印刷ズレ画像データに基づく印刷物の仮想画像を表す対象データとを相互に比較する比較工程と、
を備えることを特徴とするレイアウトデータの検版方法。
【請求項８】
請求項７に記載の検版方法であって、
前記基準データと、前記対象データとの比較の結果が所定の許容限度を超えている場合に警告情報を生成する警告情報生成工程、
をさらに備えることを特徴とするレイアウトデータの検版方法。
【請求項９】
請求項８に記載の検版方法であって、
前記比較工程における比較結果に基づいて前記レイアウトデータを修正する画像データ修正工程、
をさらに備えることを特徴とする検版方法。
【請求項１０】
コンピュータによって実行されることにより、前記コンピュータを請求項１ないし請求項３のいずれかに記載の検版装置として機能させる
ことを特徴とするプログラム。
【手続補正２】
【補正対象書類名】明細書
【補正対象項目名】００１１
【補正方法】変更
【補正の内容】
【００１１】
【課題を解決するための手段】
上記課題を解決するため、請求項１の発明は、印刷物のレイアウトデータを取得する取得手段と、所定の出力装置において前記レイアウトデータに基づく出力がなされた場合の印刷物の印刷ズレ状態を想定した印刷ズレ画像データ、を生成する印刷ズレ画像データ生成手段と、前記レイアウトデータおよび前記印刷ズレ画像データに基づいて前記出力装置において出力がなされた場合の印刷物の仮想画像を生成する仮想画像処理手段と、前記レイアウトデータに基づく印刷物の仮想画像を表す基準データと、前記印刷ズレ画像データに基づく印刷物の仮想画像を表す対象データとを相互に比較する比較手段と、を備えることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
また、請求項４の発明は、印刷システムであって、（ａ）印刷物のレイアウトデータを生成する生成装置と、（ｂ）印刷物の出力を行う出力装置と、（ｃ）検版装置であって、（ｃ−１）前記レイアウトデータを取得する取得手段と、（ｃ−２）前記出力装置において前記レイアウトデータに基づく出力がなされた場合の印刷物の印刷ズレ状態を想定した印刷ズレ画像データ、を生成する印刷ズレ画像データ生成手段と、（ｃ−３）前記レイアウトデータおよび前記印刷ズレ画像データに基づいて前記出力装置において出力がなされた場合の印刷物の仮想画像を生成する仮想画像処理手段と、（ｃ−４）前記レイアウトデータに基づく印刷物の仮想画像を表す基準データと、前記印刷ズレ画像データに基づく印刷物の仮想画像を表す対象データとを相互に比較する比較手段と、を備える検版装置と、を備えることを特徴とする。
【手続補正５】
【補正対象書類名】明細書
【補正対象項目名】００１６
【補正方法】変更
【補正の内容】
【００１６】
また、請求項５の発明は、請求項４に記載の印刷システムであって、前記検版装置が、（ｃ−５）前記基準データと、前記対象データとの比較の結果が所定の許容限度を超えている場合に警告情報を生成する警告情報生成手段、をさらに備えることを特徴とする。
【手続補正６】
【補正対象書類名】明細書
【補正対象項目名】００１７
【補正方法】変更
【補正の内容】
【００１７】
また、請求項６の発明は、請求項４または請求項５に記載の印刷システムであって、前記検版装置が、（ｃ−６）前記比較手段における比較結果に基づいて前記レイアウトデータを修正する画像データ修正手段、をさらに備えることを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
また、請求項７の発明は、印刷物のレイアウトデータの検版を行う方法であって、印刷物のレイアウトデータを取得する取得工程と、所定の出力装置において前記レイアウトデータに基づく出力がなされた場合の印刷物の印刷ズレ状態を想定した印刷ズレ画像データ、を生成する印刷ズレ画像データ生成工程と、前記レイアウトデータおよび前記印刷ズレ画像データに基づいて前記出力装置において出力がなされた場合の印刷物の仮想画像を生成する仮想画像処理工程と、前記レイアウトデータに基づく印刷物の仮想画像を表す基準データと、前記印刷ズレ画像データに基づく印刷物の仮想画像を表す対象データとを相互に比較する比較工程と、を備えることを特徴とする。
【手続補正９】
【補正対象書類名】明細書
【補正対象項目名】００２０
【補正方法】変更
【補正の内容】
【００２０】
また、請求項８の発明は、請求項７に記載の検版方法であって、前記基準データと、前記対象データとの比較の結果が所定の許容限度を超えている場合に警告情報を生成する警告情報生成工程、をさらに備えることを特徴とする。
【手続補正１０】
【補正対象書類名】明細書
【補正対象項目名】００２１
【補正方法】変更
【補正の内容】
【００２１】
また、請求項９の発明は、請求項７または請求項８に記載の検版方法であって、前記比較工程における比較結果に基づいて前記レイアウトデータを修正する画像データ修正工程、をさらに備えることを特徴とする。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
また、請求項１０の発明は、コンピュータによって実行されることにより、前記コンピュータを請求項１ないし請求項３のいずれかに記載の検版装置として機能させることを特徴とする。
【手続補正１３】
【補正対象書類名】明細書
【補正対象項目名】００６９
【補正方法】変更
【補正の内容】
【００６９】
【発明の効果】
以上、説明したように、請求項１ないし請求項１０の発明によれば、出力装置における印刷物の印刷ズレ状態を想定した印刷ズレ画像データを生成し、これを用いることにより、レイアウトの段階で想定されている理想的な出力状態と実際の印刷物の出力状態との相違点をシミュレーションすることができるので、レイアウトデータがそのトラッピング設定を有したまま出力処理に供された場合に不具合が発生することを、出力処理を実際に行う前の段階で明確化できる。
【手続補正１４】
【補正対象書類名】明細書
【補正対象項目名】００７０
【補正方法】変更
【補正の内容】
【００７０】
また、請求項２、請求項５、および請求項８の発明によれば、出力に際し不具合が生じるか否かを、客観的な判定基準に基づいて判断し、不具合が生じる可能性のある場合に作業者に対し警告を行うことができるので、問題のあるレイアウトデータをそのまま出力に供することを防ぐことができる。また、問題がないことが確認されたレイアウトデータが出力に供されたにもかかわらず出力された印刷物に問題が生じた場合は、出力装置において規定以上のズレが発生していることになるので、各工程間の責任が明確化できる。
【手続補正１５】
【補正対象書類名】明細書
【補正対象項目名】００７１
【補正方法】変更
【補正の内容】
【００７１】
また、請求項３、請求項６、および請求項９の発明によれば、比較結果を確認しながら、レイアウト設定を最適なものに修正できるので、熟練度の低い作業者であっても高品質の印刷物を得ることができる。
【手続補正１６】
【補正対象書類名】明細書
【補正対象項目名】００７２
【補正方法】削除
【補正の内容】